(57)【要約】【課題】  医療用ゴム栓にプラスチック針を固定するロック機構のコンパクト化【解決手段】  本発明に係るプラスチック針のロック機構１は、プラスチック針２の外周面に雄ねじ３を形成し、医療用ゴム栓４に形成したプラスチック針２を挿入するスリーブ５の内周面に雌ねじ６を形成し、プラスチック針２を医療用ゴム栓４に穿刺した状態で、プラスチック針２の雄ねじ３とスリーブ５の雌ねじ６を螺合させて、プラスチック針２を医療用ゴム栓４に固定できるようにしたものである。【選択図】    図１
2005110992.tif 000002
【特許請求の範囲】
【請求項１】
医療用容器又は混注管の開口部にゴム栓体を設置してキャップで固定した医療用ゴム栓に、プラスチック針を穿刺した状態でロックするプラスチック針のロック構造において、
前記医療用ゴム栓のキャップにプラスチック針を挿入するスリーブを設けるとともに、プラスチック針の外周面と、スリーブの内周面との間に、プラスチック針を医療用ゴム栓に穿刺した状態で固定するロック機構を備えていることを特徴とするプラスチック針のロック構造。
【請求項２】
前記ロック機構が、プラスチック針の外周面に雄ねじを設け、スリーブの内周面に雌ねじを設けた螺合構造であることを特徴とする請求項１に記載のプラスチック針のロック構造。
【請求項３】
前記ロック機構は、プラスチック針の外周面に突起を設け、スリーブの内周面にプラスチック針の突起が係合して保持される溝を形成したもの、又は、プラスチック針の外周面に溝を設け、スリーブの内周面にプラスチック針の溝に係合する突起を形成したものであることを特徴とする請求項１に記載のプラスチック針のロック構造。
【請求項４】
前記スリーブの外周面に、ルアーロック構造の注射器が螺合可能な螺合片を備えていることを特徴とする請求項１から３の何れかに記載のプラスチック針のロック構造。
【発明の詳細な説明】
【技術分野】
【０００１】
本発明は輸液配管に接続される混注管や、医療用容器（ここで、「医療用容器」には、輸液や薬液が封入される医療用バッグ、医療用ボトル、医療用瓶などが含まれる。）などの開口部に取り付けられた医療用ゴム栓に穿刺するプラスチック針のロック構造に関するものである。
【背景技術】
【０００２】
医療用ゴム栓は、混注管や医療用容器などの開口部にゴム栓体を気密に取り付けて閉塞したものであり、プラスチック針は医療分野において金属製の注射針に代えて用いられる穿刺用のプラスチック製の針である。近年、医療用ゴム栓には、金属製の注射針に代えて穿刺用のプラスチック針が用いられる（特許文献１）。
【０００３】
また、図７（ａ）に示すように、医療用ゴム栓６０に、穿刺用の針を挿入するスリーブ６１を設け、スリーブ６１の外周面に螺合片６２を設けるとともに、図７（ｂ）に示すように、穿刺用の針６３に針の周囲を囲うように延在した袴体６４を設け、その内周面に螺合片６２に螺合する雌ねじ６５を設け、穿刺用の針６３を医療用ゴム栓６０に穿刺して、袴体６４の溝６５をスリーブ６１の螺合片６２に螺合して、針６３を医療用ゴム栓６０に穿刺した状態で固定するようにしたものがある（特許文献２）。
【０００４】
なお、混注管７１は、図８に示すように、輸液回路７０（薬液回路）で２つの配管７２、７３を接続するのに用いるものであり、医療用バッグ７４は薬液が封入されたプラスチックの袋であり、開口部に医療用ゴム栓７５が取り付けられており、注射針７６などを穿刺して、薬液を抽出することができるようになっている。
【特許文献１】特開２００２−１５９５５９
【特許文献２】特開２０００−２１０３８４（００３２、図６、図７）
【発明の開示】
【発明が解決しようとする課題】
【０００５】
プラスチック針の問題点は、針が太いため、医療用ゴム栓に穿刺された状態で針が振れたり、穿刺された状態で長時間放置されたりしたときに、液漏れや針抜けが生じ易い点にある。また、プラスチック針６３に袴体６４を装着して、プラスチック針６３を医療用ゴム栓６０に穿刺した状態で固定できるようにしたものもあるが、この構造では、図７に示すように、混注管や医療用容器の開口部に設けたスリーブ６１の外径側に、プラスチック針６３を固定する袴体６４が螺合するため、スリーブ６１の外径側に袴体６４の分のスペースが必要になる。
【０００６】
医療用ゴム栓６０は、スリーブ６１を複数設けて複数のプラスチック針６３を穿刺できるようにすることが望ましいが、プラスチック針６３に袴体６４を装着したロック構造では、スリーブ６１の外径側にプラスチック針６３を固定する袴体６４の分のスペースが必要になるので、混注管や医療用容器の開口部に複数のプラスチック針６３を穿刺できるようにするには、更なる設計変更が必要になる場合がある。
【０００７】
そこで、本発明は、医療用ゴム栓にプラスチック針を固定するロック機構を備えるとともに、斯かるロック機構をコンパクトにすることを目的にしている。
【課題を解決するための手段】
【０００８】
本発明に係るプラスチック針のロック構造は、医療用容器又は混注管の開口部にゴム栓体を設置してキャップで固定した医療用ゴム栓に、プラスチック針を穿刺した状態でロックするプラスチック針のロック構造において、医療用ゴム栓のキャップにプラスチック針を挿入するスリーブを設けるとともに、プラスチック針の外周面と、スリーブの内周面との間に、プラスチック針を医療用ゴム栓に穿刺した状態で固定するロック機構を備えていることを特徴としている。
【０００９】
ロック機構は、例えば、プラスチック針の外周面に雄ねじを設け、スリーブの内周面に雌ねじを設けた螺合構造、又は、プラスチック針の外周面に突起を設け、スリーブの内周面にプラスチック針の突起が係合して保持される溝を形成したもの、又は、プラスチック針の外周面に溝を設け、スリーブの内周面にプラスチック針の溝に係合する突起を形成したものにするとよい。さらに、上述したロック構造を設けた上で、スリーブの外周面にルアーロック構造の注射器が螺合可能な螺合片を設けて、ルアーロック構造の注射器をニードルレスで接続できるようにしてもよい。
【発明の効果】
【００１０】
本発明によれば、医療用ゴム栓のキャップにプラスチック針を挿入するスリーブを設けるとともに、プラスチック針の外周面と、スリーブの内周面との間に、プラスチック針を医療用ゴム栓に穿刺した状態で固定するロック機構を備えているので、斯かるロック機構をコンパクトにすることができる。これにより、現行の医療用ゴム栓を大きくすることなく、ロック機構を設けることができる。
【発明を実施するための最良の形態】
【００１１】
以下、本発明の一実施形態に係るプラスチック針のロック機構を図面に基づいて説明する。なお、同じ作用を奏する部材、部位には同じ符号を付して説明する。
【００１２】
第１実施形態に係るプラスチック針のロック機構１は、図１に示すように、プラスチック針２の外周面に雄ねじ３を形成し、医療用ゴム栓４に形成したプラスチック針２を挿入するスリーブ５の内周面に雌ねじ６を形成し、プラスチック針２を医療用ゴム栓４に穿刺した状態で、プラスチック針２の雄ねじ３とスリーブ５の雌ねじ６を螺合させて、プラスチック針２を医療用ゴム栓４に固定できるようにしたものである。
【００１３】
詳しくは、医療用ゴム栓４は、医療用容器の開口部に取り付けられる基部７と、基部７に取り付けるゴム栓体８と、ゴム栓体８を基部７に固定するキャップ９とを備えている。
【００１４】
基部７は、ゴム栓体８を設置する略円筒状の部材で、下端に、医療用容器の開口部の端面に接着させるフランジ１１を有し、内部にゴム栓体８を設置する着座部１２と、着座部１２に着座させたゴム栓体８の下面を支持する薄膜１３を有している。基部７の外周面の上部にはキャップ９を嵌着させる嵌着部１４を形成している。薄膜１３は基部７と一体成形により成形されている。
【００１５】
ゴム栓体８は、基部７の内径よりも少し小さい外径を有する円板状の部材であり、シリコンゴムなどの比較的硬度の低いゴムからなる。
【００１６】
キャップ９は、基部７にゴム栓体８を設置した状態で、ゴム栓体８を覆い、基部７の外周面の上部に形成された嵌着部１４に嵌着させて基部７に取り付けている。キャップ９は、天面にプラスチック針２を挿入するスリーブ５を備えている。スリーブ５の内周面には、雌ねじ６を形成し、また、スリーブ５の底部にはプラスチック針２をガイドするように内径を少し小さくした部分１５を形成している。
【００１７】
プラスチック針２は、図２に示すように、内部に流路２１を備えた中空の針で、先端が尖っており、先端部に流路２１の開口部２２を形成したものである。このプラスチック針２の外周面には、キャップ９のスリーブ５の内周面に形成した雌ねじ６に螺合可能な雄ねじ３を形成している。また、このプラスチック針２は、外周面に滑り止めをなす溝２３が形成されている。
【００１８】
図示は省略するが、医療用ゴム栓４は、下端のフランジ１１を医療用容器の開口部（図示省略）に接着又は融着させることにより取り付ける。
【００１９】
プラスチック針２は、医療用ゴム栓４のキャップ９のスリーブ５に挿入し、プラスチック針２の先端を医療用ゴム栓４のゴム栓体８に穿刺していく。このとき、スリーブ５の底部の内径を小さくした部分１５が、プラスチック針２の外径と略等しい内径を有しており、プラスチック針２がスリーブ５の底部の内径を小さくした部分１５にガイドされるので、プラスチック針２をゴム栓体８に真っ直ぐ穿刺することができる。プラスチック針２は、ゴム栓体８に穿刺した後、プラスチック針２の外周面に形成した雄ねじ３を、スリーブ５の内周面に形成した雌ねじ６に螺合させて医療用ゴム栓４に固定する。
【００２０】
このプラスチック針のロック機構１によれば、プラスチック針２がゴム栓体８に真っ直ぐに刺さった状態で固定され、プラスチック針２がゴム栓体８から抜けたり、プラスチック針２が振れたりしないので、液漏れが生じない。
【００２１】
また、ゴム栓体８は、基部７の内径よりも少し小さい外径を有する円板状の部材で、シリコンゴムなどの比較的硬度の低いゴムからなるものを用いているので、穿刺抵抗が小さく、またコアリングも生じない。
【００２２】
このプラスチック針２のロック機構１によれば、プラスチック針２の外周面に雄ねじ３を形成し、キャップ９のスリーブ５の内周面に雌ねじ６を形成しているので、袴体６４のようにスリーブ５の外径側に装着される部材がなく、よりコンパクトにできる。従って、例えば、図３に示すように、キャップ９にスリーブ５を複数（３つ）設けて、同時に複数のプラスチック針２を穿刺できるようにする場合には、スリーブ５の外径側に袴体６４の分のスペースが必要にならない。
【００２３】
以上、本発明の一実施形態に係るプラスチック針のロック機構１を説明したが、本発明に係るプラスチック針のロック機構は、上述した実施形態に限定されない。
【００２４】
例えば、ロック機構は、螺合構造によるものを例示したがこれには限定されず、プラスチック針の外周面と、スリーブの内周面との間に係合構造があればよく、例えば、プラスチック針の外周面に突起を設け、スリーブの内周面にプラスチック針の突起が係合して、保持される溝があればよく、また、プラスチック針の外周面に溝を設け、スリーブの内周面にプラスチック針の溝に係合する突起を設けてもよい。
【００２５】
また、医療用ゴム栓は上記の実施形態に限定されず、図４に示すように、基部７の着座部１２に、プラスチックの薄膜３１、ゴム栓体８、プラスチックの薄膜３２を順に積層し、キャップ９で固定するようにしてもよい。このプラスチックの薄膜３１、３２は、基部７の薄膜１３と同様に、プラスチック針２を穿刺する際に、綿棒を用いてスリーブ５内を消毒する際の消毒面となる。なお、スリーブ５を短くして、綿棒で消毒し易くしておくと良い。このようにを基部７に一体成形することに代えて、プラスチックの薄膜３１を積層するようにしてもよい。
【００２６】
また、図５に示すように、スリーブ４１の外周面に螺合片４２を設け、口部に雌ねじの螺合構造４３を備えたルアーロック式注射器４４をニードルレスで、螺合できるようにしてもよい。この場合、ゴム栓体には、ルアーロック式注射器４４をニードルレスを挿入することにより、開閉操作できる球形弁４５を用いるとよい。なお、球形弁４５は頂部にスリット４６が形成されており、ルアーロック式注射器４４を挿入すると、球形弁４５の頂部がルアーロック式注射器４４の口部の先端で押し開かれるようになっている。
【００２７】
また、この医療用ゴム栓は、図６に示すように、スリーブ４１の内周面に形成した雌ねじ４７により、外周面に雄ねじ３を形成したプラスチック針２を球形弁４５に穿刺したときに、プラスチック針２の雄ねじ３をスリーブ４１の雌ねじ４７に挿入し、プラスチック針２を球形弁４５に穿刺した状態で固定できるようになっている。これにより、この医療用ゴム栓は、球形弁４５にルアーロック式注射器４４を挿入する場合とプラスチック針２を穿刺する場合の両方の使用態様で兼用できるようになっている。なお、図５、６はプラスチック針のロック機構を、混注管４０に適用したものを図示している。図５、６中、４８は混注管本体を、４９は球形弁４５を着座させる着座部を、５０は球形弁４５を混注管本体４８に固定するキャップをそれぞれ示している。
【図面の簡単な説明】
【００２８】
【図１】本発明の一実施形態に係るプラスチック針のロック構造を示す縦断面図。
【図２】プラスチック針を示す正面図。
【図３】本発明の一実施形態に係るプラスチック針のロック構造における医療用ゴム栓のキャップの天面を示す平面図である。
【図４】本発明の他の実施形態に係るプラスチック針のロック構造を示す縦断面図。
【図５】本発明の他の実施形態に係るプラスチック針のロック構造を示す縦断面図。
【図６】本発明の他の実施形態に係るプラスチック針のロック構造を示す縦断面図。
【図７】従来のプラスチック針のロック構造を示す縦断面図。
【図８】輸液回路の一例を示す図。
【符号の説明】
【００２９】
１  ロック機構
２  プラスチック針
４  医療用ゴム栓
５  スリーブ
７  基部
８  ゴム栓体
９  キャップ
１１  フランジ
１２  着座部
１３  薄膜
１４  嵌着部
１５  内径を小さくした部分
１６  薄膜
２１  流路
２２  開口部
３１、３２  プラスチックの薄膜
４０  混注管
４１  スリーブ
４２  螺合片
４３  螺合構造
４４  ルアーロック式注射器
４５  球形弁
４６  スリット
４８  混注管本体
【図１】
2005110992.tif 000003
【図２】
2005110992.tif 000004
【図３】
2005110992.tif 000005
【図４】
2005110992.tif 000006
【図５】
2005110992.tif 000007
【図６】
2005110992.tif 000008
【図７】
2005110992.tif 000009
【図８】
2005110992.tif 000010